【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
酸素飽和度分布に関する情報を取得する第１の取得手段と、
前記酸素飽和度分布に関する情報に基づいて、複数の位置の各位置における酸素飽和度の算出値が、１００％から１００％より大きい第１の値までの第１の数値範囲、または、前記第１の値よりも大きい値から構成される第２の数値範囲に含まれるかを判別する判別手段と、
前記判別手段の判別結果に基づいて、前記複数の位置の各位置における酸素飽和度の算出値が、前記第１の数値範囲及び前記第２の数値範囲のいずれに含まれるかを区別できるように、前記酸素飽和度分布を示す画像を表示手段に表示させる表示制御手段と、
を備えることを特徴とする情報処理装置。
【請求項２】
前記表示制御手段は、酸素飽和度の算出値が前記第１の数値範囲に含まれる位置を、酸素飽和度が１００％として前記表示手段に表示させる
ことを特徴とする請求項１に記載の情報処理装置。
【請求項３】
前記表示制御手段は、酸素飽和度の算出値が前記第２の数値範囲に含まれる位置については、前記表示手段に画像を表示させない
ことを特徴とする請求項１または２に記載の情報処理装置。
【請求項４】
前記表示制御手段は、前記第１の数値範囲と前記第２の数値範囲を、互いに異なるカラーマップで前記表示手段に表示させる
ことを特徴とする請求項１に記載の情報処理装置。
【請求項５】
前記表示制御手段は、前記第１の数値範囲には、酸素飽和度の算出値が１００％の場合に割り当てられる色から酸素飽和度の算出値に応じて色が変化するカラースケールを割り当てる
ことを特徴とする請求項４に記載の情報処理装置。
【請求項６】
前記表示制御手段は、前記第１の数値範囲では、酸素飽和度の算出値が１００％から前記第１の値になるまでの間、彩度が小さくなるように、前記カラースケールを割り当てる
ことを特徴とする請求項５に記載の情報処理装置。
【請求項７】
前記表示制御手段は、酸素飽和度の算出値が前記第１の値の場合、および、酸素飽和度の算出値が前記第２の数値範囲にある場合に、前記彩度を０とする
ことを特徴とする請求項６に記載の情報処理装置。
【請求項８】
前記表示制御手段は、前記第１の数値範囲では、色相を固定する
ことを特徴とする請求項４に記載の情報処理装置。
【請求項９】
前記表示制御手段は、前記第２の数値範囲には単一の色を割り当てる
ことを特徴とする請求項４に記載の情報処理装置。
【請求項１０】
前記表示制御手段は、前記第１の数値範囲および前記第２の数値範囲の一方を点滅させる
ことを特徴とする請求項１に記載の情報処理装置。
【請求項１１】
前記表示制御手段は、前記表示手段に、前記第１の数値範囲の領域および前記第２の数値範囲の領域の少なくとも一方を選択的に表示させる
ことを特徴とする請求項１に記載の情報処理装置。
【請求項１２】
ユーザーの指示に基づいて定められた前記第１の値に関する情報を取得する第２の取得手段をさらに有する
ことを特徴とする請求項１ないし１１のいずれか１項に記載の情報処理装置。
【請求項１３】
前記表示制御手段は、酸素飽和度の算出値が０％以上かつ１００％以下である第３の数値範囲と、前記第１の数値範囲と、前記第２の数値範囲とを区別できるような制御を行うことを特徴とする請求項１ないし１２のいずれか１項に記載の情報処理装置。
【請求項１４】
前記表示制御手段は、血管部分の空間分布を抽出して前記表示手段に表示させる
ことを特徴とする請求項１ないし１３のいずれか１項に記載の情報処理装置。
【請求項１５】
光を被検体に照射する光照射手段と、
光が照射された前記被検体から発生する音響波を受信することにより信号を出力する受信手段と、
をさらに有し、
前記第１の取得手段は、前記信号を用いて、前記酸素飽和度分布に関する情報を取得する
ことを特徴とする請求項１ないし１４のいずれか１項に記載の情報処理装置。
【請求項１６】
酸素飽和度分布を示す画像の表示制御方法であって、
複数の位置の各位置における酸素飽和度の算出値が、１００％から１００％より大きい第１の値までの第１の数値範囲、または、含まれる値が前記第１の値よりも大きい値から構成される第２の数値範囲に含まれるかを判別し、
前記複数の位置の各位置における酸素飽和度の算出値が前記第１の数値範囲または前記第２の数値範囲に含まれるかの判別結果に基づいて、前記複数の位置の各位置における酸素飽和度の算出値が、前記第１の数値範囲及び前記第２の数値範囲のいずれに含まれるかを区別できるように、前記酸素飽和度分布を示す画像を表示手段に表示させる
ことを特徴とする表示制御方法。
【請求項１７】
酸素飽和度分布を示す画像の表示制御方法であって、
酸素飽和度の算出値が１００％から１００％より大きい第１の値までの数値範囲に対応する位置と、酸素飽和度の算出値が前記第１の値よりも大きい値から構成される第２の数値範囲に対応する位置とを区別できるように前記酸素飽和度分布の画像を表示手段に表示させる工程を有する
ことを特徴とする表示制御方法。
【請求項１８】
前記表示手段に前記画像を表示させる工程において、酸素飽和度の算出値が前記第２の数値範囲に含まれる位置については、前記表示手段に画像を表示させない
ことを特徴とする請求項１７に記載の表示制御方法。
【請求項１９】
請求項１６から１８のいずれか１項に記載の表示制御方法をコンピュータに実行させるためのプログラム。
【手続補正２】
【補正対象書類名】明細書
【補正対象項目名】発明の名称
【補正方法】変更
【補正の内容】
【発明の名称】情報処理装置および表示制御方法
【手続補正３】
【補正対象書類名】明細書
【補正対象項目名】０００１
【補正方法】変更
【補正の内容】
【０００１】
本発明は、情報処理装置および表示制御方法に関する。 
【手続補正４】
【補正対象書類名】明細書
【補正対象項目名】０００９
【補正方法】変更
【補正の内容】
【０００９】
本発明は、以下の構成を採用する。すなわち、
酸素飽和度分布に関する情報を取得する第１の取得手段と、
前記酸素飽和度分布に関する情報に基づいて、複数の位置の各位置における酸素飽和度の算出値が、１００％から１００％より大きい第１の値までの第１の数値範囲、または、前記第１の値よりも大きい値から構成される第２の数値範囲に含まれるかを判別する判別手段と、
前記判別手段の判別結果に基づいて、前記複数の位置の各位置における酸素飽和度の算出値が、前記第１の数値範囲及び前記第２の数値範囲のいずれに含まれるかを区別できるように、前記酸素飽和度分布を示す画像を表示手段に表示させる表示制御手段と、
を備えることを特徴とする情報処理装置である。
本発明は、また、以下の構成を採用する。すなわち、
酸素飽和度分布を示す画像の表示制御方法であって、
複数の位置の各位置における酸素飽和度の算出値が、１００％から１００％より大きい第１の値までの第１の数値範囲、または、含まれる値が前記第１の値よりも大きい値から構成される第２の数値範囲に含まれるかを判別し、
前記複数の位置の各位置における酸素飽和度の算出値が前記第１の数値範囲または前記第２の数値範囲に含まれるかの判別結果に基づいて、前記複数の位置の各位置における酸素飽和度の算出値が、前記第１の数値範囲及び前記第２の数値範囲のいずれに含まれるかを区別できるように、前記酸素飽和度分布を示す画像を表示手段に表示させる
ことを特徴とする表示処理方法である。
【手続補正５】
【補正対象書類名】明細書
【補正対象項目名】００１０
【補正方法】変更
【補正の内容】
【００１０】
本発明は、また、以下の構成を採用する。すなわち、
酸素飽和度分布を示す画像の表示制御方法であって、 
酸素飽和度の算出値が１００％から１００％より大きい第１の値までの数値範囲に対応する位置と、酸素飽和度の算出値が前記第１の値よりも大きい値から構成される第２の数値範囲に対応する位置とを区別できるように前記酸素飽和度分布の画像を表示手段に表示させる工程を有する
ことを特徴とする表示制御方法である。